(57)【要約】【課題】  内線、あるいは外線の電話環境が構築されている住戸環境において、通信契約や外部通信回線の追加をすることなく、子機と、居住者が携行する通信機器とで通信できると共に、来訪者映像も合わせて確認可能とする。【解決手段】  無線ＬＡＮアクセスポイント４をゲートウェイ５を介してインターホン親機２に接続し、ＩＰ通信網を使用してＩＰ電話を実施できる携帯ＩＰ電話端末３と無線ＬＡＮアクセスポイント４との間で内線通信を可能とした。また、インターホン親機２に子機カメラ１３の撮像映像信号をワンセグテレビ放送信号で送信するテレビ送信機６を接続し、携帯ＩＰ電話端末３をワンセグ放送を受信可能なチューナ及びディスプレイ３３を備えたものとし、インターホン子機１から呼び出しがなされると、携帯ＩＰ電話端末３が呼び出され、ディスプレイ３３に来訪者映像を出画する。【選択図】  図１
2008252316.tif 000002
【特許請求の範囲】
【請求項１】
居住者を呼び出して通話する機能及び来訪者を撮像するためのカメラを備えたインターホン子機と、
呼び出しに応答する機能及び前記カメラの撮像映像を出画するモニタを備えたインターホン親機と、
居室内無線ＬＡＮネットワークを形成する無線ＬＡＮアクセスポイントと、
前記インターホン親機に有線接続され、前記無線ＬＡＮアクセスポイントを前記インターホン親機に接続するためのゲートウェイと、
デジタルテレビ出画機能を有して前記無線ＬＡＮアクセスポイントに無線接続される携帯無線端末と、
前記インターホン親機に有線接続されて、前記カメラの撮像映像を前記携帯端末が受信できるデジタルテレビ放送信号に変換し、住戸内で前記携帯端末が受信できる程度の弱い電波で無線送信する映像送信機とを備え、
更に、前記インターホン親機は、前記インターホン子機から呼び出しが成されたら前記ゲートウェイに呼出信号を送信して通話を制御する通話制御部を備えると共に、前記ゲートウェイは前記呼出信号を受けて前記無線ＬＡＮアクセスポイントを経由して前記携帯無線端末が受信可能な呼出信号に変換して送信する信号変換回路を備え、
前記インターホン子機から呼び出しが成されたら、前記携帯無線端末と前記インターホン子機との間で通話路を確立できると共に、前記カメラの撮像映像が前記携帯無線端末に出画されることを特徴とするインターホンシステム。
【請求項２】
前記ゲートウェイは、前記携帯無線端末から所定の通信信号を受けたら、前記インターホン親機に送信し、前記所定の通信信号を受けた前記インターホン親機の通話制御部は、前記インターホン子機のカメラを起動させて映像信号を前記映像送信機に送出し、前記携帯無線端末でモニタ可能としたことを特徴とする請求項１記載のインターホンシステム。
【請求項３】
居住者を呼び出して通話する機能及び来訪者を撮像するためのカメラを備えたインターホン子機と、
呼び出しに応答する機能及び前記カメラの撮像映像を出画するモニタを備えたインターホン親機と、
携帯電話網に接続するための電話発着信装置と、
前記インターホン親機に有線接続され、前記電話発着信装置を前記インターホン親機に接続するためのゲートウェイと、
デジタルテレビ出画機能を有して携帯電話網を介して前記電話発信装置に接続可能な携帯電話端末と、
前記インターホン親機に有線接続されて、前記カメラの撮像映像を前記携帯電話端末が受信できるデジタルテレビ放送信号に変換し、住戸内で前記携帯電話端末が受信できる程度の弱い電波で無線送信する映像送信機とを備え、
更に、前記インターホン親機は、前記インターホン子機から呼び出しが成されたら前記ゲートウェイに呼出信号を送信して通話を制御する通話制御部を備えると共に、前記ゲートウェイは前記呼出信号を受けて前記電話発着信装置及び携帯電話網を経由して前記携帯電話端末に外線発信信号を送信する信号変換回路を備え、
前記インターホン子機から呼び出しが成されたら、前記携帯電話端末で呼出報知が成されると共に、前記カメラの撮像映像が前記携帯電話端末に出画されることを特徴とするインターホンシステム。
【請求項４】
前記ゲートウェイは、前記携帯電話端末から所定の着信信号を受けたら、前記インターホン親機に送信し、前記所定の通信信号を受けた前記インターホン親機の通話制御部は、前記インターホン子機のカメラを起動させて映像信号を前記映像送信機に送出し、前記携帯電話端末でモニタ可能としたことを特徴とする請求項３記載のインターホンシステム。
【請求項５】
居住者を呼び出して通話する機能及び来訪者を撮像するためのカメラを備えたインターホン子機と、
呼び出しに応答する機能及び前記カメラの撮像映像を出画するモニタを備えたインターホン親機と、
公衆電話回線に接続され、デジタルテレビ放送出画機能を備えたコードレス電話機と、
前記インターホン親機に有線接続され、前記コードレス電話機をネットワーク配線を介して前記インターホン親機に接続するためのゲートウェイと、
前記インターホン親機に有線接続されて、前記カメラの撮像映像を前記コードレス電話機が受信できるデジタルテレビ放送信号に変換し、住戸内で前記コードレス電話機が受信できる程度の弱い電波で無線送信する映像送信機とを備え、
更に、前記インターホン親機は、前記インターホン子機から呼び出しが成されたら前記ゲートウェイに呼出信号を送信して通話を制御する通話制御部を備えると共に、前記ゲートウェイは前記呼出信号を受けて前記コードレス電話機が応答可能な呼出信号に変換して送信する信号変換回路を備え、
前記インターホン子機から呼び出しが成されたら、前記コードレス電話機と前記インターホン子機との間で通話路を確立できると共に、前記カメラの撮像映像が前記コードレス電話機で出画されることを特徴とするインターホンシステム。
【請求項６】
前記ゲートウェイは、前記コードレス電話機から所定の着信信号を受けたら、前記インターホン親機に送信し、前記所定の通信信号を受けた前記インターホン親機の通話制御部は、前記インターホン子機のカメラを起動させて映像信号を前記映像送信機に送出し、前記コードレス電話機でモニタ可能としたことを特徴とする請求項５記載のインターホンシステム。
【請求項７】
前記映像送信機の送信するデジタル放送信号は、周波数幅が１ＭＨｚ以下であることを特徴とする請求項１乃至６の何れかに記載のインターホンシステム。
【発明の詳細な説明】
【技術分野】
【０００１】
本発明は、インターホンシステムに関し、特にインターホン親機以外の機器によりインターホン子機と通話が可能なインターホンシステムに関する。
【背景技術】
【０００２】
携帯電話とインターホン親機との間で通信を可能とし、インターホン子機と通話を実施したり、インターホン親機に接続されている電気錠の施錠操作やセキュリティセンサのデータ受信を行うことができるインターホンシステムがある（例えば、特許文献１参照）。
このインターホンシステムは、訪問者が玄関に設置されているインターホン子機の呼出ボタンを操作して室内のインターホン親機を呼び出した際、インターホン親機が転送モードに設定されていると、呼出信号はインターホン親機に装着されているＰＨＳカードから携帯電話網を介して外出中の居住者が携行する携帯電話に送信される。
こうして呼出信号を携帯電話が受信して呼出音を鳴動させることで、居住者が呼び出しに応答でき、インターホン親機の近くにいなくても、また外出先からでも容易に応答することを可能とした。そして、携帯電話で電気錠を解錠する操作を行うと、解錠信号が携帯電話網からＰＨＳカードを介してインターホン親機に送信され、インターホン親機は解錠信号に基づき電気錠を解錠する。こうして訪問者を住居内に招き入れることが可能となった。
【０００３】
一方で、来訪者を撮像する機能を備え、その映像を見ながら応答できるテレビインターホンシステムが普及している。このようなテレビインターホンシステムは、通常、呼出通話機能を備えたインターホン子機にカメラを備えると共に、応答機能を備えたインターホン親機にカメラ撮像映像を出画するモニタを設けた構成となっており、来訪者を確認できるし、玄関先の状況を確認できるためセキュリティの向上に有効となっている。
【０００４】
【特許文献１】特開２００４−２６０７３５号公報
【発明の開示】
【発明が解決しようとする課題】
【０００５】
しかしながら、上記特許文献１に示す従来のインターホン装置は、外出先でも来訪者からの呼び出しに対して応答することができるが、ＰＨＳカード等の基本料金、サーバー利用料が必要であるし、インターホン子機に来訪者を撮像するカメラが設けられていても、その映像を、外出先は勿論のこと自宅内において応答する場合であってもインターホン親機以外で確認することができなかった。
【０００６】
そこで、本発明はこのような問題点に鑑み、内線、あるいは外線の電話環境が構築されている住戸環境において、新たに通信契約や外部通信回線を設けることなく、インターホン子機と、居住者が携行する通信機器とで通信できると共に、住戸内においては来訪者映像も合わせて確認できるインターホンシステムを提供することを目的とする。
【課題を解決するための手段】
【０００７】
上記課題を解決する為に、請求項１に記載の発明は、居住者を呼び出して通話する機能及び来訪者を撮像するためのカメラを備えたインターホン子機と、呼び出しに応答する機能及びカメラの撮像映像を出画するモニタを備えたインターホン親機と、居室内無線ＬＡＮネットワークを形成する無線ＬＡＮアクセスポイントと、インターホン親機に有線接続され、無線ＬＡＮアクセスポイントをインターホン親機に接続するためのゲートウェイと、デジタルテレビ出画機能を有して無線ＬＡＮアクセスポイントに無線接続される携帯無線端末と、インターホン親機に有線接続されて、カメラの撮像映像を携帯端末が受信できるデジタルテレビ放送信号に変換し、住戸内で携帯端末が受信できる程度の弱い電波で無線送信する映像送信機とを備え、更に、インターホン親機は、インターホン子機から呼び出しが成されたらゲートウェイに呼出信号を送信して通話を制御する通話制御部を備えると共に、ゲートウェイは呼出信号を受けて無線ＬＡＮアクセスポイントを経由して携帯無線端末が受信可能な呼出信号に変換して送信する信号変換回路を備え、インターホン子機から呼び出しが成されたら、携帯無線端末とインターホン子機との間で通話路を確立できると共に、カメラの撮像映像が携帯無線端末に出画されることを特徴とする。
【０００８】
この構成によれば、無線ＬＡＮアクセスポイントを介して、ゲートウェイがインターホン子機からの呼出操作に基づく呼出信号をＩＰ電話等の携帯無線端末に送信する。よって、インターホン子機とＩＰ携帯電話等の携帯無線端末との通話路を確立でき、通信契約や外部へのネットワーク回線を使用することなく、インターホン子機と携帯無線端末とで通話が可能となる。そして、映像送信機から送信されたデジタル放送信号を携帯無線端末のディスプレイに表示できるため、住戸内等の狭い範囲で有れば、来訪者の画像を確認することができる。
【０００９】
請求項２の発明は、請求項１に記載の発明において、ゲートウェイは、携帯無線端末から所定の通信信号を受けたら、インターホン親機に送信し、所定の通信信号を受けたインターホン親機の通話制御部は、インターホン子機のカメラを起動させて映像信号を映像送信機に送出し、携帯無線端末でモニタ可能としたことを特徴とする。
この構成によれば、居住者がインターホン親機以外の携帯機器からインターホン子機カメラを操作して玄関の状況をモニタできる。
【００１０】
請求項３の発明は、居住者を呼び出して通話する機能及び来訪者を撮像するためのカメラを備えたインターホン子機と、呼び出しに応答する機能及びカメラの撮像映像を出画するモニタを備えたインターホン親機と、携帯電話網に接続するための電話発着信装置と、インターホン親機に有線接続され、電話発着信装置をインターホン親機に接続するためのゲートウェイと、デジタルテレビ出画機能を有して携帯電話網を介して電話発信装置に接続可能な携帯電話端末と、インターホン親機に有線接続されて、カメラの撮像映像を携帯電話端末が受信できるデジタルテレビ放送信号に変換し、住戸内で携帯電話端末が受信できる程度の弱い電波で無線送信する映像送信機とを備え、更に、インターホン親機は、インターホン子機から呼び出しが成されたらゲートウェイに呼出信号を送信して通話を制御する通話制御部を備えると共に、ゲートウェイは呼出信号を受けて電話発着信装置及び携帯電話網を経由して携帯電話端末に外線発信信号を送信する信号変換回路を備え、インターホン子機から呼び出しが成されたら、携帯電話端末で呼出報知が成されると共に、カメラの撮像映像が携帯電話端末に出画されることを特徴とする。
【００１１】
この構成によれば、ゲートウェイが、インターホン子機からの呼出操作に基づき電話発着信装置に外線発信信号を送り、携帯電話網を介して携帯電話端末に呼出信号を送信するため、インターホン子機と携帯電話端末との通話路を確立できる。よって、新たな通信契約や外部へのネットワーク回線を追加することなく、インターホン子機と携帯電話端末との通話が可能となる。そして、映像送信機から送信されたデジタル放送信号を携帯無線端末で受信して映像をディスプレイに表示できるため、住戸内等の狭い範囲で有れば、来訪者の画像を確認することができる。
【００１２】
請求項４の発明は、請求項３に記載の発明において、ゲートウェイは、携帯電話端末から所定の着信信号を受けたら、インターホン親機に送信し、所定の通信信号を受けたインターホン親機の通話制御部は、インターホン子機のカメラを起動させて映像信号を映像送信機に送出し、携帯電話端末でモニタ可能としたことを特徴とする。
この構成によれば、居住者がインターホン親機以外の携帯機器からインターホン子機カメラを操作して玄関の状態をモニタできる。
【００１３】
請求項５の発明は、居住者を呼び出して通話する機能及び来訪者を撮像するためのカメラを備えたインターホン子機と、呼び出しに応答する機能及びカメラの撮像映像を出画するモニタを備えたインターホン親機と、公衆電話回線に接続され、デジタルテレビ放送出画機能を備えたコードレス電話機と、インターホン親機に有線接続され、コードレス電話機をネットワーク配線を介してインターホン親機に接続するためのゲートウェイと、インターホン親機に有線接続されて、カメラの撮像映像をコードレス電話機が受信できるデジタルテレビ放送信号に変換し、住戸内でコードレス電話機が受信できる程度の弱い電波で無線送信する映像送信機とを備え、更に、インターホン親機は、インターホン子機から呼び出しが成されたらゲートウェイに呼出信号を送信して通話を制御する通話制御部を備えると共に、ゲートウェイは呼出信号を受けてコードレス電話機が応答可能な呼出信号に変換して送信する信号変換回路を備え、インターホン子機から呼び出しが成されたら、コードレス電話機とインターホン子機との間で通話路を確立できると共に、カメラの撮像映像がコードレス電話機で出画されることを特徴とする。
この構成によれば、ゲートウェイがインターホン子機からの呼出操作に基づく発信信号をコードレス電話機に送信するため、インターホン子機とコードレス電話機との通話路を確立できる。よって、通信契約や外部へのネットワーク回線を使用する機器を使用することなく、インターホン子機と携帯無線端末であるコードレス電話機の間で通話きる。そして、テレビ送信機から送信されたデジタル放送信号をコードレス電話子機で受信してディスプレイに表示できるため、来客の画像を容易に確認することができる。
【００１４】
請求項６の発明は、請求項５に記載の発明において、ゲートウェイは、コードレス電話機から所定の着信信号を受けたら、インターホン親機に送信し、所定の通信信号を受けたインターホン親機の通話制御部は、インターホン子機のカメラを起動させて映像信号を映像送信機に送出し、コードレス電話機でモニタ可能としたことを特徴とする。
この構成によれば、居住者がインターホン親機以外の機器からインターホン子機カメラを操作して玄関の状態をモニタできる。
【００１５】
請求項７の発明は、請求項１乃至６の何れかに記載の発明において、映像送信機の送信するデジタル放送信号は、周波数幅が１ＭＨｚ以下であることを特徴とする。
この構成によれば、テレビ送信機、携帯無線端末、携帯電話端末及びコードレス電話機の構成を簡易なものとすることができるとともに、消費電力を低減することができる。
【発明の効果】
【００１６】
本発明によれば、既に電話環境、あるいはネットワーク環境が構築されている住戸においては、通信契約や外部へのネットワーク回線を追加することなく、インターホン子機と室内で携行可能な無線端末との間で通話することができるし、来客の画像を確認することができ、セキュリティの向上を図ることができる。
【発明を実施するための最良の形態】
【００１７】
以下、本発明を具体化した実施の形態を、図面に基づいて詳細に説明する。
〈第１実施形態〉
図１は本発明に係るインターホンシステムの第１の実施形態を示す構成図であり、戸建住宅に設置されるインターホンシステムを示している。この図１において、１は玄関に設置され来訪者が居住者を呼び出して通話するためのインターホン子機（以下、単に「子機」と称する）、２は室内に設置されインターホン子機１からの呼び出しに応答するためのインターホン親機（以下、単に「親機」と称する）、３（３ａ，３ｂ）はＩＰ（Internet Protocol）電話による通話が可能であり、地上デジタル放送（ＩＳＤＢＴ−Ｔによる携帯機器向け放送（通称ワンセグ））を受信可能な携帯無線端末としての携帯ＩＰ電話端末、４はＬＡＮ上の無線通信を制御し、携帯ＩＰ電話端末３と内線通信を実施する無線ＬＡＮアクセスポイント、５は無線ＬＡＮアクセスポイントを親機２に接続するためのゲートウェイ、６は子機１のカメラ撮像映像を携帯ＩＰ電話端末３に無線送信するテレビ送信機である。
【００１８】
親機２は、伝送線Ｌ１によってゲートウェイ５に接続され、無線ＬＡＮアクセスポイント４はネットワーク配線Ｌ２によってゲートウェイ５に接続されている。また、テレビ送信機６は伝送線Ｌ３を介して親機２に接続されている。
【００１９】
子機１は、来訪者が居住者を呼び出すための呼出ボタン１０と、来訪者と通話するための子機マイク１１及び子機スピーカ１２と、玄関周辺や来訪者を撮像する子機カメラ１３を備えている。
【００２０】
親機２は、子機１の呼出操作を受けて呼出音を鳴動すると共に、居住者が来訪者との間で通話を行うための音声を出力させるための親機スピーカ２０と、居住者が来訪者との間で通話を行うためのハンドセット２１と、子機カメラ１３により撮像された映像を出画するための親機モニタ２２と、子機１から呼び出しが成されたら接続されているゲートウェイ５に呼出信号を送信して通話を制御する図示しない通話制御部を備えている。
【００２１】
ゲートウェイ５は、通信媒体や伝送方式が異なるデータを相互に変換して異機種間で通信可能とする機器で、親機２が子機１から受信した呼出信号を携帯ＩＰ電話端末３が受信可能な信号に変換する信号変換回路２５を備えている。
この信号変換回路２５は、第１の信号変換機能として、呼出信号を予め定められた設定により、子機１の呼出ボタン１０による呼出操作に基づく呼出信号を伝送線Ｌ１を介して親機２から受信すると、携帯ＩＰ電話端末３を呼び出す信号に変換して無線ＬＡＮアクセスポイント４に内線発信信号を送り、子機１と携帯ＩＰ電話端末３との通話路を確立させる機能を備えている。
【００２２】
また、第２の信号変換機能として、携帯ＩＰ電話端末３から内線着信信号を受けた時には、親機２に対してモニタ開始信号を送出し、子機１と携帯ＩＰ電話端末３との通話路を確立する機能を有している。これにより、室内で携帯ＩＰ電話端末３を携行する居住者が玄関の状態をモニタすることが可能となる。
尚、親機２には、ゲートウェイ５との間で呼出信号、通話信号等を送受する送受信回路（図示せず）を備えている。また、無線ＬＡＮアクセスポイント４はブロードバンドルータの機能も有しているが、無線ＬＡＮアクセスポイント４とブロードバンドルータとは分離して配置してもよい。
【００２３】
テレビ送信機６は、子機カメラ１３の撮像した映像信号を地上デジタル放送の信号周波数で送信するアンテナ６ａを備え、カメラ１３で撮像した映像信号を伝送線Ｌ３を介して受信すると、映像信号を地上デジタル放送信号の形式でアンテナ６ａより送信する。
具体的に、テレビ送信機の送信周波数は、ワンセグ方式のデジタルテレビに割り当てられた周波数で、且つ、戸建住宅のある地域で放送を行っていないチャンネルに対応する周波数が使用され、周波数幅４２９ｋＨｚのワンセグ放送電波としてアンテナ６ａより送信する。また、送信電力については、住戸内で携帯ＩＰ電話端末が受信できる出力であり、現状の電波法の微弱無線局の規定も含めて、アンテナ６ａからの距離が３ｍの地点において３５μＶ／ｍ以下の弱い電界強度で出力される。送信電力を電波法の微弱無線局の範囲内となるこの数値にすることによって、テレビ送信機６を容易に設置することが可能となる。
【００２４】
携帯ＩＰ電話端末３は、図２の回路ブロック図に示すような回路構成となっている。即ち、通話の為の信号を送受信するデータ通信アンテナ３０ａを備えたデータ送受信部３０、マイク及びスピーカを備えた通話部３１、テレビ信号を受信するテレビアンテナ３２ａを備えたテレビチューナー３２、受信したテレビ放送や各種情報を表示するディスプレイ３３、テンキー等を備えた操作部３４、各回路を制御するＩＰ電話端末制御部３５を備えている。
【００２５】
このように構成されたインターホンシステムの動作を次に説明する。図３は子機１から呼び出しが成された際の動作のフローチャートであり、（ａ）は子機１及び親機２を中心とした動作、（ｂ）は携帯ＩＰ電話端末３を中心とした動作を示している。以下、このフローに基づいて説明する。
呼出ボタン１０が操作されると子機１から親機２に呼出信号が送信される（Ｓ１）。親機２は、呼出信号を受けて親機スピーカ２０から呼出音を鳴動し、子機カメラ１３で撮像された映像が親機２のモニタ２２に出画される（Ｓ２）。更に、親機２はゲートウェイ５に呼出信号を送信すると同時に、テレビ送信機６へ映像信号を送信する（Ｓ３）。ゲートウェイ５は、信号変換回路２５の第１の信号変換機能により呼出信号を内線呼出信号としてネットワーク配線Ｌ２を介して無線ＬＡＮアクセスポイント４に送信する。この内線呼出信号を受信した無線ＬＡＮアクセスポイント４は無線ＩＰ携帯端末３に内線呼出信号を無線送信する（Ｓ４）。
【００２６】
テレビ送信機６は、子機カメラ１３が撮像した映像信号を伝送線Ｌ３を介して親機２から受信すると、地上デジタル放送信号の形式に変換してアンテナ６ａより送信する（Ｓ４１）。
【００２７】
２台の携帯ＩＰ電話端末３ａ，３ｂのうち、一方の端末３ａが内線呼出されたとすると、内線呼出信号により携帯ＩＰ電話端末３ａは公衆ＩＰ通信網（図示せず）を経由せず、無線ＬＡＮアクセスポイント４から直接内線受信する（Ｓ１０１）。その結果、内蔵しているテレビチューナー３２が起動してチャンネルを予め設定したチャンネルに自動的に合わせる制御が成される（Ｓ１０２）。こうして、来訪者の映像がディスプレイ３３に出画されると同時に、呼出音が図示しないスピーカから出力される（Ｓ１０３）。
呼出音を受けて、在室中の居住者が応答操作する（Ｓ１０４）と、応答信号がゲートウェイ５に送信され、呼出音が停止して子機１と携帯ＩＰ電話端末３ａとの通話路が確立する。但し、来訪者映像の出画は継続される（Ｓ１０５）。こうして、居住者は子機カメラ１３で撮像された映像をディスプレイ３３で見ながら、来訪者と通話することができる（Ｓ１０６）。
【００２８】
一方、応答信号を受けたゲートウェイ５は、親機２により応答されていなければ、携帯ＩＰ電話端末３による応答と判断し（Ｓ６）、呼出音及びモニタ２２の出画を停止（Ｓ９）し、テレビ送信機６の映像送信を継続して内線通話を開始（Ｓ１０）させる。
但し、親機２で先に応答操作した場合は、モニタ２２の出画を継続した状態で呼出音を停止し、親機２と子機１の通話路を接続する（Ｓ７）。そして、ゲートウェイ５への内線呼出信号の送信、及びテレビ送信機への映像信号の送信を停止し、内線終話操作を行う（Ｓ８）。
【００２９】
また、親機２、携帯ＩＰ電話端末３の何れからも応答操作されず一定時間が経過したら（Ｓ１１）、呼出音、モニタの出画の双方を停止し（Ｓ１２）、ゲートウェイ５を介した内線呼出、及びテレビ送信機６へのテレビ信号の送信を停止（Ｓ１３）し、子機カメラ１３を停止させる（Ｓ１４）。同時に、携帯ＩＰ電話端末３でも終話信号を受けて（Ｓ１０７）、テレビチューナー３２の受信動作、呼出音を停止する（Ｓ１０８）。
【００３０】
このように、無線ＬＡＮアクセスポイントを介して、ゲートウェイがインターホン子機からの呼出操作に基づく呼出信号をＩＰ電話等の携帯無線端末に送信するので、インターホン子機とＩＰ携帯電話等の携帯無線端末との通話路を確立でき、通信契約や外部のＩＰ通信網等のネットワーク回線を使用することなく、インターホン子機と携帯無線端末とで通話が可能となる。そして、映像送信機から送信されたデジタル放送信号を携帯無線端末のディスプレイに表示できるため、住戸内等の狭い範囲で有れば、来訪者の画像を確認することができる。
【００３１】
次に、待受時に携帯ＩＰ電話端末３の操作で子機カメラ１３を起動し、玄関の様子を確認する動作を説明する。図４はこの動作のフローチャートであり、（ａ）は子機１及び親機２の動作、（ｂ）は携帯ＩＰ電話端末３の動作を示している。以下、このフローに基づいて説明する。
携帯ＩＰ電話端末３を所定の操作（Ｓ３０１）により呼出信号（内線着信信号）を送信することで、上記呼出時とは逆の経路でゲートウェイ５に内線着信信号が送信される（Ｓ３０２）。ゲートウェイ５は、第２の信号変換機能により、内線着信信号をモニタ開始信号に変換して親機２に送出する。親機２は、モニタ開始信号を受信する（Ｓ２０１）と、子機１に起動信号を送信し、子機１の通話路を開いて音声信号を伝送すると共に、子機カメラ１３で撮像された映像信号を受信してモニタ２２に出画する（Ｓ２０２）。
【００３２】
この音声信号及び映像信号を受信した親機２は、ゲートウェイ５に音声信号を送信すると共にテレビ送信機６に映像信号を送信する（Ｓ２０３）。ゲートウェイ５は、呼出操作を行った携帯ＩＰ電話端末３に対して、信号変換回路２５の信号変換機能により、呼出信号に対する応答信号を送信すると共に、音声信号を送信する。カメラ１３で撮像した映像信号を受信したテレビ送信機６は、ワンセグ放送電波としてアンテナ６ａから送信する（Ｓ２０４）。
【００３３】
一方、呼出信号を送信した携帯ＩＰ電話端末３では、内蔵しているテレビチューナー３２が起動し、チャンネルを予め設定させたチャンネルに自動的に合わせることによってテレビ送信機６の送出する来訪者の映像を受信し（Ｓ３０３）、ディスプレイ３３に出画すると共に、子機１の音声信号を図示しないスピーカから出力する（Ｓ３０４）。こうして、居住者は玄関の状態をモニタしながら玄関付近の音声を確認することができる。
【００３４】
このように、居住者が携帯機器である携帯ＩＰ電話端末を使用し、ＩＰ通信網等の外部ネットワークを介することなく、住戸内程度の距離であれば何処からでもインターホン子機のカメラを起動させて玄関の状況をモニタできる。
【００３５】
〈第２実施形態〉
図５は本発明に係るインターホンシステムの第２の実施形態を示す構成図であり、戸建住宅に設置されるインターホンシステムを示している。この図５において、１０１は玄関に設置され来訪者が居住者を呼び出して通話するためのインターホン子機（以下、単に「子機」と称する）、１０２は室内に設置されインターホン子機１からの呼び出しに応答するためのインターホン親機（以下、単に「親機」と称する）、１０３（１０３ａ，１０３ｂ）は地上デジタル放送（ＩＳＤＢＴ−Ｔによる携帯機器向け放送（通称ワンセグ））を受信可能なチューナを内蔵し、携帯電話網Ｐを使用して他の携帯電話端末等と通話が可能な携帯電話端末、１０４は携帯電話網Ｐに接続して携帯電話端末１０３と通信するための電話発着信装置、１０５は電話発着信装置１０４を親機１０２に接続するゲートウェイ、１０６は子機１０１のカメラ撮像映像を携帯電話端末１０３に無線送信するテレビ送信機である。
【００３６】
親機１０２は、伝送線Ｌ１０１によってゲートウェイ１０５に接続され、電話発着信装置１０４はネットワーク配線Ｌ１０２によってゲートウェイ１０５に接続されている。また、テレビ送信機１０６は伝送線Ｌ１０３を介して親機１０２に接続されている。
【００３７】
子機１０１は、来訪者が居住者を呼び出すための呼出ボタン１１０と、来訪者と通話するための子機マイク１１１、子機スピーカ１１２と、玄関周辺や来訪者を撮像する子機カメラ１１３を備えている。
【００３８】
親機１０２は、子機１０１の呼出操作を受けて鳴動すると共に、居住者が来訪者との間で通話を行うための音声を出力させるための親機スピーカ１２０と、居住者が来訪者との間で通話を行うためのハンドセット１２１と、子機カメラ１１３により撮像された映像を出画するための親機モニタ１２２と、子機１０１から呼び出しが成されたら接続されているゲートウェイ１０５に呼出信号を送信して通話を制御する図示しない通話制御部を備えている。
【００３９】
ゲートウェイ１０５は、上記実施形態と同様に通信媒体や伝送方式が異なるデータを相互に変換して異機種間で通信可能とする機器で、親機１０２が子機１０１から受信した呼出信号を携帯電話端末１０３が受信可能な信号に変換する信号変換回路１２５を備えている。この信号変換回路１２５は、第１の信号変換機能として、呼出信号を予め定められた設定により、子機呼出ボタン１１０による呼出操作に基づく呼出信号を伝送線Ｌ１０１を介して親機１０２から受信すると、携帯電話端末１０３を呼び出す信号に変換して電話発着信装置１０４に外線発信信号を送り、携帯電話網Ｐを介して子機１０１と携帯電話端末１０３との通話路を確立させる機能を備えている。
【００４０】
また、第２の信号変換機能として、携帯電話端末１０３から外線着信信号を受けた時には、親機１０２に対してモニタ開始信号を送出し、子機１０１と携帯電話端末１０３との通話路を確立する機能を有している。この機能により、室内で携帯電話端末１０３を携行する居住者が玄関の状態をモニタすることが可能となる。
【００４１】
テレビ送信機１０６は、上記実施形態と同様であり、カメラ１３で撮像した映像信号をワンセグ方式の地上デジタル放送信号の形式でアンテナ１０６ａより送信する。また、携帯電話端末１０３は、デジタルテレビを受信して表示するディスプレイ及びチューナを備えており、呼出信号を受信した時点で、テレビ送信機１０６が送信するデジタル放送信号周波数にチャンネルを自動で合わせることにより、ディスプレイで玄関の状態をモニタできるよう構成されている。
【００４２】
以下、このように構成されたインターホンシステムの呼出応答動作を説明する。但し、基本的な動作は上記図３のフローにおいて携帯ＩＰ電端末３を携帯電話端末１０３に置き換えることで同様の流れとなるため、ここでは発明の要部となる子機１０１からの呼び出しに対して携帯電話端末で応答する動作について説明する。
来訪者が子機呼出ボタン１１０を押すと、親機１０２のスピーカ１２０で呼出音が鳴動し、子機カメラ１１３で撮像された映像が親機１０２のモニタ１２２に出画される。同時に、ゲートウェイ１０５に呼出信号が送信され、ゲートウェイ１０５は呼出先が外線となる携帯電話端末１０３に予め設定されている場合に、信号変換回路１２５の信号変換機能により、呼出信号を外線発信信号としてネットワーク配線Ｌ１０２を介して電話発着信装置１０４に送信する。
【００４３】
ゲートウェイ１０５から外線発信信号を受信した電話発着信装置１０４は、携帯電話網Ｐを使用して、携帯電話端末１０３を呼び出す制御を実施する。また、親機１０２は映像信号を伝送線Ｌ１０３を介してテレビ送信機１０６に送信する。テレビ送信機１０６は、子機カメラ１１３で撮像した映像信号を上記実施形態と同様にワンセグ放送電波としてアンテナ１０６ａより送信する。
【００４４】
この呼出信号を一方の携帯電話端末１０３ａが受信して応答する場合を説明する。携帯電話端末１０３ａは、呼出信号を受信すると内蔵しているテレビチューナーを起動し、チャンネルを予め設定させたチャンネルに自動的に合わせることによって、テレビ送信機１０６が送信している来訪者の映像信号を受信してディスプレイ１３３に表示する。合わせて、呼出音が図示しないスピーカから出力される。
【００４５】
在室中の居住者が、呼び出しを受けて携帯電話端末１０３ａで応答操作すると、子機１０１と携帯電話端末１０３ａとの通話路が確立され、子機カメラ１１３で撮像された映像をディスプレイ１３３で見ながら来訪者と通話することができる。尚、他方の携帯電話端末１０３ｂに呼び出しがなされた場合も同様に応答でき、来訪者映像を見ながら通話できる。また、テレビ送信機１０６の電波が届かない場所で応答操作した場合は、映像を見ることはできなくなるが来訪者との通話は引き続き実施できる。
【００４６】
このように、ゲートウェイが、インターホン子機からの呼出操作に基づき電話発着信装置に外線発信信号を送り、携帯電話網を介して携帯電話端末に呼出信号を送信するため、インターホン子機と携帯電話端末との通話路を確立できる。よって、新たな通信契約や外部へのネットワーク回線を追加することなく、インターホン子機と携帯電話端末との通話が可能となる。そして、テレビ送信機から送信されたデジタル放送信号を携帯電話端末で受信して映像をディスプレイに表示できるため、住戸内で応答する場合は来訪者を画像で確認することができる。
【００４７】
また、待受時に携帯電話端末１０３の操作で子機カメラ１１３を起動し、玄関の様子を確認することができる。この場合の動作の流れは、上記図４のフローにおいて携帯ＩＰ電端末３を携帯電話端末１０３に置き換えることで同様の流れとなる。即ち、携帯電話端末１０３から送信された呼出信号（外線着信信号）は、携帯電話網Ｐを介してゲートウェイ１０５に伝送され、ゲートウェイ１０５の第２の信号変換機能によりモニタ開始信号に変換されて親機１０２に送信される。その結果、親機１０２の制御により子機１０１が起動して、子機カメラ１１３の撮像映像が送信されると共に、集音した玄関付近の音声を合わせて送信される。こうして、玄関の状態をモニタしながら玄関付近の音声を確認することができる。
【００４８】
このように、インターホン親機以外の携帯電話端末を使用して、居住者がインターホン子機のカメラを操作して玄関の状況をモニタでき、住戸内であれば何処にいても玄関の状況を把握することができる。
【００４９】
〈第３実施形態〉
図６は本発明に係るインターホンシステムの第３の実施形態を示す構成図であり、戸建住宅に設置されるインターホンシステムを示している。この図６において、２０１は玄関に設置され来訪者が居住者を呼び出して通話するためのインターホン子機（以下、単に「子機」と称する）、２０２は室内に設置され子機２０１からの呼び出しに応答するためのインターホン親機（以下、単に「親機」と称する）、２０３は公衆電話回線（図示せず）に接続されて外線通話が可能なコードレス電話親機、２０４（２０４ａ，２０４ｂ）はコードレス電話親機２０３と無線通信して外線通話が可能であって、地上デジタル放送（ＩＳＤＢＴ−Ｔによる携帯機器向け放送（通称ワンセグ））を受信可能なチューナを内蔵したコードレス電話機、２０５はコードレス電話親機２０３を親機２０２に接続するゲートウェイ、２０６は子機カメラ２１３の撮像映像をコードレス電話端末２０３に無線送信するテレビ送信機である。
【００５０】
親機２０２は、伝送線Ｌ２０１によってゲートウェイ２０５に接続され、コードレス電話親機２０３はネットワーク配線Ｌ２０２によってゲートウェイ２０５に接続されている。また、親機２０２には伝送線Ｌ２０３を介してテレビ送信機２０６が接続されている。
【００５１】
子機２０１は、来訪者が居住者を呼び出すための呼出ボタン２１０と、来訪者と通話するための子機マイク２１１、子機スピーカ２１２と、玄関周辺や来訪者を撮像する子機カメラ２１３を備えている。
【００５２】
親機２０２は、子機２０１の呼出操作を受けて鳴動すると共に、居住者が来訪者との間で通話を行うための音声を出力させるための親機スピーカ２２０と、居住者が来訪者との間で通話を行うためのハンドセット２２１と、子機カメラ２１３により撮像された映像を出画するための親機モニタ２２２と、子機２０１から呼び出しが成されたら接続されているゲートウェイ２０５に呼出信号を送信して通話を制御する図示しない通話制御部を備えている。
【００５３】
ゲートウェイ２０５は、上記第１実施形態と同様に通信媒体や伝送方式が異なるデータを相互に変換して異機種間で通信可能とする機器で、親機２０２が子機２０１から受信した呼出信号をコードレス電話親機２０３（及びコードレス電話機２０４）が受信可能な信号に変換する信号変換回路２２５を備えている。この信号変換回路２２５は、第１の信号変換機能として、呼出信号を予め定められた設定により、子機２０１の呼出ボタン２１０による呼出操作に基づく呼出信号を伝送線Ｌ２０１を介して親機２０２から受信すると、コードレス電話機２０４を呼び出す信号に変換してコードレス電話親機２０３に内線発信信号を送り、子機２０１とコードレス電話機２０４との通話路を確立させる機能を備えている。
【００５４】
また、第２の信号変換機能として、コードレス電話機２０４から内線着信信号を受けた時には、親機２０２に対してモニタ開始信号を送出し、子機２０１とコードレス電話機２０４との通話路を確立する機能を有している。この機能により、室内でコードレス電話機２０４を携行する居住者が玄関の状態をモニタすることが可能となる。
【００５５】
テレビ送信機２０６は、上記第１実施形態と同様であり、カメラ２１３で撮像した映像信号をワンセグ方式の地上デジタル放送信号の形式でアンテナ２０６ａより送信する。
【００５６】
コードレス電話機２０４は、図７に示す回路ブロックを備えている。即ち、通話の為の信号をコードレス電話親機２０３との間で送受信するデータ通信アンテナ２４０ａを備えたデータ送受信部２４０、マイク及びスピーカを備えた通話部２４１、テレビ信号を受信するテレビアンテナ２４２ａを備えたテレビチューナー２４２、受信したテレビ放送を表示するディスプレイ２４３、テンキー等を備えた操作部２４４、各回路を制御するコードレス電話機制御部２４５を備えている。
こうして、地上デジタル放送を受信してディスプレイ２４３に出画させることができ、呼出信号を受信した時点で、テレビ送信機２０６が送信するデジタル放送信号周波数にチャンネルを自動で合わせることにより、ディスプレイ２４３で玄関の状態をモニタできるようになる。
【００５７】
以下、このように構成されたインターホンシステムの呼出応答動作を説明する。但し、基本的な動作は上記図３のフローにおいて、携帯ＩＰ電話端末３をコードレス電話機２０４に置き換えることで同様の流れとなるため、ここでは発明の要部となる子機２０１からの呼び出しに対してコードレス電話機２０４で応答する動作について説明する。
来訪者が子機呼出ボタン２１０を押すと、親機２０２のスピーカ２２０で呼出音が出力し、子機カメラ２１３で撮像された映像が親機２０２のモニタ２２２に出力される。同時に、ゲートウェイ２０５に呼出信号を送信する。
【００５８】
呼出信号を受けたゲートウェイ２０５は、呼出先が例えば内線となるコードレス電話子機２０４に予め設定されている場合には、信号変換回路２２５の信号変換機能により、呼出信号を内線呼出信号としてネットワーク配線Ｌ２０２を介してコードレス電話親機２０３に送信する。この内線呼出信号を受けてコードレス電話親機２０３はコードレス電話機２０４を内線呼び出しする。
一方で、親機２０２は、映像信号を伝送線Ｌ２０３を介してテレビ送信機２０６に送信する。テレビ送信機２０６は、カメラ２１１で撮像した映像信号を第１の実施形態と同様にワンセグ放送電波としてアンテナ２０６ａより送信する。
【００５９】
コードレス電話機２０４が、コードレス電話親機２０３から呼出信号を受信した場合、内蔵しているテレビチューナー２４２を起動し、チャンネルを予め設定させたチャンネルに自動的に合わせる。この結果、来訪者の映像がディスプレイ２４３に表示される。また、呼出音が図示しないスピーカから出力される。
【００６０】
在室中の居住者が、呼び出しを受けて一方のコードレス電話機２０４ａで応答操作すると、子機２０１とコードレス電話機２０４ａとの通話路が確立され、子機カメラ２１３で撮像された映像をディスプレイ２４３で見ながら来訪者と通話することができる。尚、他方のコードレス電話機２０４ｂで呼び出しに応答した場合も同様に応答でき、来訪者映像を見ながら通話できる。
【００６１】
このように、ゲートウェイがインターホン子機からの呼出操作に基づく発信信号をコードレス電話機に送信するため、インターホン子機とコードレス電話機との通話路を確立できる。よって、通信契約や外部へのネットワーク回線を使用する機器を使用することなく、インターホン子機と携帯無線端末であるコードレス電話機の間で通話きる。そして、テレビ送信機から送信されたデジタル放送信号をコードレス電話子機で受信してディスプレイに表示できるため、来客の画像を容易に確認することができる。
【００６２】
また、待受時にコードレス電話機２０４の操作で子機カメラ２１３を起動し、玄関の様子を確認することができる。この場合の動作の流れは、上記図５のフローにおいて携帯ＩＰ電端末３をコードレス電話機２０４に置き換えることで同様の流れとなる。即ち、コードレス電話機２０４から送信された呼出信号（内線着信信号）は、コードレス電話親機２０３を介してゲートウェイ２０５に伝送され、ゲートウェイ１０５の第２の信号変換機能によりモニタ開始信号に変換されて親機２０２に送信される。その結果、親機２０２の制御により子機２０１が起動して、子機カメラ２１３の撮像映像が送信されると共に、集音した玄関付近の音声が合わせて送信される。こうして、玄関の状態をモニタしながら玄関付近の音声をコードレス電話機２０４により確認することができ、インターホン親機以外の携帯電話端末を使用して、居住者がインターホン子機のカメラを操作して玄関の状況をモニタでき、住戸内であれば何処にいても玄関の状況を把握することができる。
【００６３】
尚、上記実施形態においては、信号変換回路２５，１２５，２２５をゲートウェイ５，１０５，２０５に設けているがインターホン親機２，１０２，２０２に備えても良い。更には、ゲートウェイ５，１０５，２０５をインターホン親機２，１０２，２０２に内蔵させることもできる。
また、テレビ送信機６，１０６，２０６が送信する映像信号は、ワンセグ放送規格としているため、周波数幅を４２９ｋＨｚとしているが、１ＭＨｚ程度であっても良く更に鮮明な画像を伝送することができる。そして、送信電力においても上述したように電波法の微弱無線局に規定に基づいて設定しているが、法的な規制を考慮しなければ例えば１００μＶ／ｍとしても良く、更に広範囲において映像を受信することができる。そして、引き続きテレビ送信機６，１０６，２０６、携帯ＩＰ電話端末３、携帯電話端末１０３及びコードレス電話機２０４の構成を簡易なものとすることができる。
【００６４】
また、戸建住宅に設置されるインターホンシステムについて説明しているが、集合住宅に設置するインターホンシステムにも容易に適用できるし、携帯ＩＰ電話端末３、携帯電話端末１０３、コードレス電話機２０４について、子機カメラ１３，１１３，２１３の撮像映像を受信してディスプレイに出画させているが、他の通話及びテレビ受信機能を有する携帯機器であれば、上記実施形態の如く接続することができる。
【図面の簡単な説明】
【００６５】
【図１】本発明に係るインターホンシステムの第１実施形態を示す構成図である。
【図２】図１の携帯ＩＰ電話端末の回路ブロック図である。
【図３】図１のインターホンシステムの呼出動作の流れを示すフローチャートであり、（ａ）はインターホン親機を中心としたフロー、（ｂ）は携帯ＩＰ電話端末を中心としたフローを示している。
【図４】図１のインターホンシステムのモニタ動作の流れを示すフローチャートであり、（ａ）はインターホン親機を中心としたフロー、（ｂ）は携帯ＩＰ電話端末を中心としたフローを示している。
【図５】本発明の第２実施形態を示すインターホンシステムの構成図である。
【図６】本発明の第３実施形態を示すインターホンシステムの構成図である。
【図７】図６のコードレス電話機の回路ブロック図である。
【符号の説明】
【００６６】
１・・インターホン子機、２・・インターホン親機、３・・携帯ＩＰ電話端末（携帯無線端末）、４・・無線ＬＡＮアクセスポイント、５・・ゲートウェイ、６・・テレビ送信機（映像送信機）、１３・・子機カメラ、２５・・信号変換回路、１０１・・インターホン子機、１０２・・インターホン親機、１０３・・携帯電話端末、１０４・・電話発着信装置、１０５・・ゲートウェイ、１０６・・テレビ送信機（映像送信機）、１１３・・子機カメラ、１２５・・信号変換回路、２０１・・インターホン子機、２０２・・インターホン親機、２０４・・コードレス電話機、２０５・・ゲートウェイ、２０６・・テレビ送信機（映像送信機）、２１３・・子機カメラ、２２５・・信号変換回路、Ｐ・・携帯電話網。
【図１】
2008252316.tif 000003
【図２】
2008252316.tif 000004
【図３】
2008252316.tif 000005
【図４】
2008252316.tif 000006
【図５】
2008252316.tif 000007
【図６】
2008252316.tif 000008
【図７】
2008252316.tif 000009